(57)【要約】【課題】脚の横断面形状が異なっても、同一の取付金具を用いて、天板に取り付けることができるテーブルを提供する。【解決手段】  脚３を、天板２の下面に取付ける取付金具４を有し、取付金具４の側部に、取付金具４の外側に位置するように脚３を取付ける脚取付部１１を形成し、脚３の上部から脚３の内部に挿入する挿入部材７を設け、脚取付部１１は、脚３の外面と係合する抑え部１１ａ，１１ｂを２個有し、この抑え部１１ａ，１１ｂをＶ字状に配設し、連結部材２１により、挿入部材７と取付金具４の脚取付部１１を連結するとともに、脚３の一部を、挿入部材７と取付金具４の抑え部１１ａ，１１ｂとで挟持して保持するようにした。【選択図】  図９
2020043892.tif 000002
【特許請求の範囲】
【請求項１】
脚を天板下面に取付ける取付金具を有し、
前記取付金具の側部に、前記取付金具の外側に位置するように前記脚を取付ける脚取付部を形成し、前記脚の天板側部から脚の内部に挿入する挿入部材を設け、
前記脚取付部は、前記脚の外面と係合する抑え部を２個有し、この抑え部をＶ字状に配設し、
連結部材により、前記挿入部材と前記取付金具の脚取付部を連結するとともに、前記脚の一部を、前記挿入部材と前記取付金具の抑え部とで挟持して保持するようにしたことを特徴とするテーブル。
【請求項２】
前記取付金具に、天板側と反対側に開口する下側開口と、脚取付部に開口する脚側開口とを連通する取付穴を形成し、前記脚にボルト挿通穴を形成し、前記挿入部材に、内周に雌ねじが刻設された連結部を形成し、
ボルトを、取付金具に形成した下側開口から挿通し、前記挿入部材における連結部の雌ねじに螺合することにより、挿入部材と前記取付金具を連結するようにしたことを特徴とする請求項１記載のテーブル。
【請求項３】
前記脚取付部において、両抑え部の内側端部に亘って、前記脚側開口を形成したことを特徴とする請求項２記載のテーブル。
【請求項４】
前記脚の軸芯が、天板側からその反対側に向かうほど、天板の外周面側に位置することを特徴とする請求項１又は２又は３記載のテーブル。
【請求項５】
前記ボルトを、脚の軸芯に対して、傾斜するように取付けたことを特徴とする請求項２又は３記載のテーブル。
【請求項６】
前記挿入部材を前記脚に取り付けた際に、前記挿入部材の一部は、前記脚の端部を覆う化粧キャップであることを特徴とする請求項１乃至５の何れか１項に記載のテーブル。
【発明の詳細な説明】
【技術分野】
【０００１】
本発明は、テーブルに関するものである。
【背景技術】
【０００２】
テーブルの天板の下部には、天板を支持するとともに、天板を補強する支持部材が、天板の外縁部の周方向全体に亘って設けられている。
【０００３】
近年、テーブルを斜め上方から見た際に、この支持部材が見えず、外観をすっきりとさせるため、支持部材のテーブル天板に対する取付け位置を、天板の外周部よりも内側に設けることが提案されている。
【０００４】
このようなテーブルとして、天板の下部における４隅に、脚を天板に対して固定する取付金具を設け、隣り合う取付金具における内側端部間に支持部材を架設したものが知られている（例えば、特許文献１参照）。
【先行技術文献】
【特許文献】
【０００５】
【特許文献１】特許第５８４９６５３号公報
【発明の概要】
【発明が解決しようとする課題】
【０００６】
天板の形状や全体に応じ、脚の横断面形状を変更することがある。しかし、上記従来技術のテーブルにおいては、その脚の上端部に、取付金具の固定部を嵌合挿入するように形成されているため、例えば、脚の横断面形状が四角形状のテーブルと、丸形状のテーブルを製造しようとした場合、２種類の取付金具を容易する必要がある。
【０００７】
このように、脚の横断面形状に応じて、複数種類の取付金具を用意すると、製造コストが高くなってしまう。
【０００８】
そこで、本発明は、脚の横断面形状が異なっても、同一の取付金具を用いて、天板に取り付けることができるテーブルを提供することを目的とするものである。
【課題を解決するための手段】
【０００９】
前記の課題を解決するために、請求項１記載の発明は、脚を天板下面に取付ける取付金具を有し、
前記取付金具の側部に、前記取付金具の外側に位置するように前記脚を取付ける脚取付部を形成し、前記脚の天板側部から脚の内部に挿入する挿入部材を設け、
前記脚取付部は、前記脚の外面と係合する抑え部を２個有し、この抑え部をＶ字状に配設し、
連結部材により、前記挿入部材と前記取付金具の脚取付部を連結するとともに、前記脚の一部を、前記挿入部材と前記取付金具の抑え部とで挟持して保持するようにしたことを特徴とするものである。
【００１０】
請求項２記載の発明は、請求項１記載の発明において、前記取付金具に、天板側と反対側に開口する下側開口と、脚取付部に開口する脚側開口とを連通する取付穴を形成し、前記脚にボルト挿通穴を形成し、前記挿入部材に、内周に雌ねじが刻設された連結部を形成し、
ボルトを、取付金具に形成した下側開口から挿通し、前記挿入部材における連結部の雌ねじに螺合することにより、挿入部材と前記取付金具を連結するようにしたことを特徴とするものである。
【００１１】
請求項３記載の発明は、請求項２記載の発明において、前記脚取付部において、両抑え部の内側端部に亘って、前記脚側開口を形成したことを特徴とするものである。
【００１２】
請求項４記載の発明は、請求項１又は２又は３記載の発明において、前記脚の軸芯が、天板側からその反対側に向かうほど、天板の外周面側に位置することを特徴とするものである。
【００１３】
請求項５記載の発明は、請求項２又は３記載の発明において、前記ボルトを、脚の軸芯に対して、傾斜するように取付けたことを特徴とするものである。
【００１４】
請求項６記載の発明は、請求項１乃至５の何れか１項に記載の発明において、前記挿入部材を前記脚に取り付けた際に、前記挿入部材の一部は、前記脚の端部を覆う化粧キャップであることを特徴とするものである。
【発明の効果】
【００１５】
本発明のテーブルは、取付金具の側部に、取付金具の外側に位置するように脚を取付ける脚取付部を形成し、脚の天板側部から脚の内部に挿入する挿入部材を設け、脚取付部は、脚の外面と係合する抑え部を２個有し、この抑え部をＶ字状に配設し、連結部材により、挿入部材と取付金具の脚取付部を連結するとともに、脚の一部を、挿入部材と取付金具の抑え部とで挟持して保持するようにしたことにより、脚の横断面形状が異なる脚でも、同一の取付金具を用いて、天板に取り付けることができる。これにより、取付金具を共用でき、製造コストを低減できる。
【図面の簡単な説明】
【００１６】
【図１】本発明の実施例１に係るテーブルを上側から見た斜視図。
【図２】図１の正面図。
【図３】図１の右側面図。
【図４】図１の底面図。
【図５】図１の下側から見た斜視図。
【図６】本発明の実施例１に用いる取付金具に対し、脚と挿入部材を取付けた状態の斜視図。
【図７】図６の上面図。
【図８】図６の右側面図。
【図９】図７のＡ−Ａ線断面図。
【図１０】図６の右下側から見た斜視図。
【図１１】図６の分解斜視図。
【図１２】図１１の下側から見た斜視図。
【図１３】本発明の実施例１に用いる取付金具の斜視図。
【図１４】図１３の正面図。
【図１５】図１３の右側面図。
【図１６】図１３の左側面図。
【図１７】図１３の底面図。
【図１８】図１７のＢ−Ｂ線断面図。
【図１９】図１３の右下側から見た斜視図。
【図２０】図１３の左下側から見た斜視図。
【図２１】本発明の実施例３に係るテーブルの一例の斜視図。
【図２２】図２１のテーブルに用いる取付金具に対し、脚と挿入部材を取付けた状態の上面図。
【図２３】図２２の分解斜視図。
【発明を実施するための形態】
【００１７】
本発明を実施するための形態を図に示す実施例に基づいて説明する。
【００１８】
［実施例１］
図１は、本発明の実施例１に係るテーブル１の上側から見た斜視図、図２は、その正面図、図３は、その右側面図、図４は、その底面図、図５は、その下側から見た斜視図である。以下において、天板２側を上側、その反対側を下側として説明する。
【００１９】
テーブル１は、上面形状が長方形状の天板２を有し、天板２における下面の４隅には、脚３を天板２の下面側に取付けるための取付金具４が計４個固設されている。
【００２０】
脚３は、図６〜図９に示すように、その横断面形状が、正方形状に形成されているとともに、内部には中空部３ａが形成された金属製の角パイプで形成され、図１１に示すように、その上端は開口している。脚３の断面形状は、その軸芯方向全体に亘って、略同じ形状となるように形成されている。本実施例では、脚３を金属で構成したが、所定の強度を確保できれば、樹脂等の任意の部材で構成することができる。
【００２１】
脚３の上端と天板２との間には、図２，図３に示すように、空間Ｄが形成され、脚３の上端と天板２の下面とは当接しないようになっている。なお、空間Ｄを形成せず、脚３の上端が天板２の下面に当接するようにしてもよい。
【００２２】
脚３における上端部の側部には、図１１，図１２に示すように、ボルト挿通穴５が脚３の外周面を貫通して形成されている。また、脚３における上端部の側部で、かつ、ボルト挿通穴５の上部には、第１係合穴６が、脚３の外周面を貫通して形成されている。
【００２３】
脚３の上端部には、図９，図１１に示すように、挿入部材７が上方から中空部３ａ内に挿入され、挿入部材７により脚３の上方開口部が閉塞される。
【００２４】
挿入部材７には、これを脚３の中空部３ａ内に挿入した状態において、ボルト挿通穴５に対応する位置に連結部７ａが設けられ、連結部７ａの内周面には雌ねじが刻設されている。また、挿入部材７には、これを脚３の中空部３ａ内に挿入した状態において、脚３の第１係合穴６と対応する位置に、第２係合穴７ｂが外側に開口するように形成されている。
【００２５】
挿入部材７には、挿入部材７を脚３の中空部３ａ内に挿入した際に、脚３の上端開口全体を覆う化粧部７ｃを有する。
【００２６】
挿入部材７の脚３の内周面側には、図１１に示すように、脚３の内面形状の一部に対応した抑え面８が、平面状にされている。
【００２７】
取付金具４は、図８〜図１０に示すように、本体部９を有し、この本体部９の上部には、天板２の下面に対して取付けるための天板取付部１０が、本体部９から外側方向に突出する鍔状に形成されている。天板取付部１０には、その表裏方向に貫通する取付穴１０ａが複数形成され、図４に示すように、取付穴１０ａにボルト１２等を挿通し天板２の下面側に固定することで、取付金具４を天板２の下面に取付けることができるようになっている。
【００２８】
本体部９において、図４に示すように、天板２における所定の位置Ｃから天板２の角部方向に向かう軸Ｘ−Ｘ方向おける一方の端部、すなわち、取付金具４の側部には、脚３を取付けるための脚取付部１１が形成されている。脚取付部１１は、図７，図１７に示すように、脚３の異なる外周面にそれぞれ係合する２つの抑え部１１ａ，１１ｂを有する、抑え部１１ａ，１１ｂは、その上下方向は軸Ｘ−Ｘに対して直交し、かつ、軸Ｘ−Ｘ方向において、内側から外側に向かうほど、軸Ｘ−Ｘ方向と直交するＹ−Ｙ方向における外側方向に位置するようにテーパ状に形成されている。また、抑え部１１ａと抑え部１１ｂで形成される角度は、略９０°に設定され、抑え部１１ａと抑え部１１ｂはＶ字状に配設されている。本実施例においては、抑え部１１ａと抑え部１１ｂで形成される角度を略９０°に設定したが、この角度は任意に設定することができる。
【００２９】
抑え部１１ａと抑え部１１ｂが交わる中心部には、係合ピン１４が軸Ｘ−Ｘ方向で、かつ、抑え部１１ａ，１１ｂの中心部から外側方向に突出するように設けられている。この係合ピン１４を、脚３の第１係合穴６と、挿入部材７の第２係合穴７ｂ内に挿通することで、脚３，挿入部材７と、取付金具４が、相互に係合できるようになっている。
【００３０】
本体部９における軸Ｘ−Ｘ方向の他方の端部には、図７に示すように、支持部材１５を取付ける支持取り付け部１６が２つ設けられている。支持部材１５は、角パイプで構成され、天板２の下方に設けられて、天板２を支持するとともに強度を補強する。
【００３１】
それぞれの支持取り付け部１６に、支持部材１５を取付けると、図４に示すように、隣接する両支持部材１５，１５は相互に直交するようになっている。支持取り付け部１６，１６間には、図１２，図１５，図１８に示すように、雌ねじが刻設されたボルト取付穴１７が設けられている。
【００３２】
支持部材１５，１５の端部間に、図５に示すように、連結金具２３を架設して取り付け、連結金具２３を、ボルトによりボルト取付穴１７に対して固定することにより、支持部材１５を、取付金具４を介して天板２に対して固定することができるようになっている。また、長尺の支持部材１５の軸方向の中間部は、図４，図５に示すように、固定金具２６により天板２の下面に対して固定されている。なお、固定金具２６は設けなくてもよい。
【００３３】
本体部９には、図１８に示すように、その天板取付部１０と反対側、すなわち、本体部９の下部に下側開口１８が形成されている。また、脚取付部１１における抑え部１１ａ，１１ｂの中心部には、係合ピン１４の下側に位置して、抑え部１１ａ，１１ｂの内側端部に亘って、脚側開口１９が開口形成されている。この下側開口１８と脚側開口１９を連通する取付穴２０が、天板取付部１０の上面、すなわち、天板２の上面に対して傾斜するように形成されている。
【００３４】
次に、テーブル１の組み立て方法について説明する。
【００３５】
先ず、取付金具４の支持取り付け部１６に支持部材１５の端部を挿入し、支持部材１５，１５端部間に連結金具２３を架設するとともに、ボルトを、連結金具２３の取付穴に挿通した後に、取付金具４のボルト取付穴１７に螺合し、取付金具４に対し支持部材１５，１５を固定する。
【００３６】
次に、ボルト１２を、図４に示すように、取付金具４における天板取付部１０の取付穴１０ａに挿通した後に天板２の下面に固定し、４個の取付金具４を、天板２の所定の位置に取付ける。また、固定金具２６により、支持部材１５を、天板２の下面に対して固定する。
【００３７】
次に、図９に示すように、脚３の中空部３ａ内に、挿入部材７を上方から挿入すると、化粧部７ｃは、脚３の上端開口全体を覆って閉塞させ、化粧部７ｃは、化粧キャップの役割を果たす。挿入部材７を挿入した状態で、取付金具４の係合ピン１４を、脚３の第１係合穴６と、挿入部材７の第２係合穴７ｂ内に挿通し、相互に係合させて、取付金具３に対する脚３の位置決めを行う。
【００３８】
次に、ボルト２４を、取付金具４の下側開口１８から取付穴２０内に挿入し、脚３のボルト挿通穴５を挿通させた後に、挿入部材７の連結部７ａの雌ねじに螺合し、取付金具４と挿入部材７を取り外し可能に連結する。ボルト２０と連結部７ａの雌ねじが連結部材２１を構成する。なお、取付金具４と挿入部材７を、取り外し可能に連結することができれば、連結部材２１以外にも任意の連結手段を用いることができる。
【００３９】
取付金具４と挿入部材７を連結することにより、脚３の一部である取り付け部分は、取付金具４の抑え部１１ａ，１１ｂと挿入部材７の抑え面８により挟持され、脚３の位置を保持することができる。脚３は、取付金具４の軸Ｘ−Ｘと天板２の上面に対して直交するように取り付けられる。
【００４０】
同様の組付け方法により、４本の脚３を天板２の４隅に取付け、テーブル１を得る。
【００４１】
テーブル１を上記のように構成したことにより、テーブル１は以下のような作用、効果を奏する。
【００４２】
脚３の取り付け部分を、取付金具４の抑え部１１ａ，１１ｂと挿入部材７の抑え面８により挟持、保持することにより、脚３の取り付け部分の取付強度を、高めることができる。
【００４３】
取付金具４における本体部９の一方に脚３を取付け、他方に支持部材１５を取付けるようにしたことにより、天板２に対する支持部材１５の取付位置を脚３よりも内側にすることができ、図１に示すように、テーブル１の斜め上からみると支持部材１５が視認されず、テーブル１をすっきりとした外観とすることができる。
【００４４】
また、脚３を、その断面形状が、図示にした形状よりも、大きい場合でも小さい場合でも、同一の取付金具４を用いて、天板２に良好に取り付けることができ、脚３の大きさに応じて、取付金具４を複数種類用意する必要がなく、部品点数を低減でき、製造コストを低減できる。
【００４５】
また、天板２に対する脚３の取付角度は、脚３の外面と、取付金具４における脚取付部１１の抑え部１１ａ，１１ｂの形状により決まるため、その部分の形成加工は、脚の上端面が所定角度となるように切断加工するものより容易であり、製造コストを低減できる。
【００４６】
また、挿入部材７を脚３に挿入し、脚３の側面方向から挿入部材７と取付金具４を連結部材２１により連結したことにより、挿入部材７を脚３に溶接等により固定することなく、挿入部材７の脚３からの脱離を防止できる。
【００４７】
また、脚３を、その側部を用いて、取付金具４に連結したことにより、脚３の端面の加工精度を低く設定しても、テーブル１の組み立てに、影響を及ぼさないため、脚３の製造が容易で、テーブル１の製造コストを低減できる。
【００４８】
また、挿入部材７を、脚３に対して溶接固定する必要がないことから、脚３として必要な強度を確保することができれば、脚３を金属以外の任意の素材を用いて構成することもできる。
【００４９】
また、ボルト２４を、取付金具４の下側開口１８から挿入して、取付金具４に脚３を取付けるため、天板２に取付金具４と支持部材１５を固定した状態で、脚３のみを容易に着脱することができる。
【００５０】
［実施例２］
上記実施例１においては、脚３を、取付金具４の軸Ｘ−Ｘと天板２の上面に対して直交するように取り付けたが、脚３の軸芯を、上方（天板２側）から下方（天板２と反対側）に向かうほど、天板２の外周面（側面）側に位置するようにしてもよい。
【００５１】
抑え部１１ａ，１１ｂは、その上下方向において、上方（天板２側）から下方（天板２と反対側）に向かうほど、天板２の外周面（側面）側に位置するように形成される。
【００５２】
取付金具４を上記実施例１における取付位置より天板２の内側に設けるとともに、脚３の下端が、天板２の外周面より天板２の側面より外側に突出しないことが好ましい。
【００５３】
上記以外の構成は、上記実施例１と同様であるため、その説明を省略する。
【００５４】
本実施例２においても、上記実施例１と同様の作用、効果を奏する。
【００５５】
上記実施例１においては、脚３を、天板２の上面に対して直交するように取り付けたことにより、テーブル１の上方から見た場合、脚３は下側に向かうほど、天板２の内側に位置するように見えることがある。
【００５６】
それに対し、本実施例２においては、脚３の軸芯を、上方（天板２側）から下方（天板２と反対側）に向かうほど、天板２の外周面（側面）側に位置するようにしたことにより、テーブル１の上方から見た場合に、脚３は天板２に対し直交、若しくは、天板２の側面側に位置するように見えるようになり好ましい。
【００５７】
［実施例３］
上記実施例１，２においては、脚３の断面を四角形状で構成したが、その断面形状は、四角形状以外にも、円形や、六角形などの多角形状など様々な形状で構成することができる。
【００５８】
取付金具４の抑え部１１ａと抑え部１１ｂをＶ字状に配設して、それぞれの抑え部１１ａ，１１ｂが、脚の外面に当接するようにしたことにより、脚における取付金具４に対する取付部分の形状が、軸方向全体に亘って同じ形状に形成されていれば、脚の断面形状が、どのような形状に形成されていても、同一の取付金具４を用いて、脚を取付けることができるため、取付金具４を共有化でき、部品点数を低減し製造コストを低減できる。
【００５９】
例えば、図２１〜図２３に示すように、脚３３を、断面形状が円状の円筒パイプで構成するようにしてもよい。
【００６０】
脚３３の上端部には、図２１〜図２３に示すように、上記実施例１と同様に、ボルト挿通穴５と第１係合穴６が形成されている。挿入部材３７は、上記実施例１と同様に、脚３３の内面形状の一部に対応した抑え面３８が形成され、それ以外の構造は上記実施例１，２と同様に構成される。
【００６１】
脚３３が、真円形状であっても、抑え部１１ａ，１１ｂの一部が、脚３３の外面に当接し、脚３３は、取付金具４の抑え部１１ａ，１１ｂと挿入部材３７の抑え面３８により挟持され、脚３３の位置を確実に保持するとともに、取り付け部分の脚３３の強度を高めることができる。
【００６２】
上記以外の構成は、上記実施例１，２と同様であるため、上記実施例，２と同様の符号を付してその説明を省略する。
【００６３】
本実施例３においても、上記実施例１，２と同様の作用、効果を奏する。
【００６４】
［実施例４］
上記実施例１〜３においては、天板２の上面形状を長方形状に形成し、その４隅に脚３，３３を配設したが、天板２の形状は長方形状以外にも任意に設定することができる。また、脚３，３３の本数は３本以上であれば任意の数に設定するとともに、その取付位置は任意に設定することができる。また、天板２の形状によっては、上記実施例１で用いた支持部材１５を設けなくてもよい。
【００６５】
上記以外の構成は、上記実施例１〜３と同様であるため、その説明を省略する。
【００６６】
本実施例４においても、上記実施例１〜３と同様の作用、効果を奏する。
【符号の説明】
【００６７】
１  テーブル
２  天板
３，３３  脚
４  取付金具
５  ボルト挿通穴
７，３７  挿入部材
７ａ  連結部
１１  脚取付部
１１ａ，１１ｂ  抑え部
１８  下側開口
１９  脚側開口
２０  取付穴
２１  連結部材
【図１】
2020043892.tif 000003
【図２】
2020043892.tif 000004
【図３】
2020043892.tif 000005
【図４】
2020043892.tif 000006
【図５】
2020043892.tif 000007
【図６】
2020043892.tif 000008
【図７】
2020043892.tif 000009
【図８】
2020043892.tif 000010
【図９】
2020043892.tif 000011
【図１０】
2020043892.tif 000012
【図１１】
2020043892.tif 000013
【図１２】
2020043892.tif 000014
【図１３】
2020043892.tif 000015
【図１４】
2020043892.tif 000016
【図１５】
2020043892.tif 000017
【図１６】
2020043892.tif 000018
【図１７】
2020043892.tif 000019
【図１８】
2020043892.tif 000020
【図１９】
2020043892.tif 000021
【図２０】
2020043892.tif 000022
【図２１】
2020043892.tif 000023
【図２２】
2020043892.tif 000024
【図２３】
2020043892.tif 000025